(57)【要約】【課題】電子機器が操作ロックされている場合に、操作ロック解除の際のユーザの煩わしさを低減することが課題となっていた。【解決手段】実施形態の電子機器は、自機器に所定の操作が行われないようにロック制御するロック制御部を備える。また、前記自機器が操作ロックされている場合に、前記操作ロックを解除する地域が登録されるロック解除地域登録部を備える。また、前記自機器の位置を検出する位置検出部を備える。また、前記登録された操作ロックを解除する地域と前記検出された前記自機器の位置を比較し、前記自機器が前記操作ロックを解除する地域内にあると判別される場合は、前記自機器の操作ロックを解除する操作ロック解除部を備える。【選択図】図１
2012178188.tif 000002
【特許請求の範囲】
【請求項１】
自機器の位置を複数回数検出する位置検出部と、
前記位置検出部で検出された回数に基づいて、前記自機器の位置を所定のアプリケーションで利用する地域として登録させるか否かを選択させる選択部と、
を備える電子機器。
【請求項２】
前記自機器の位置を登録させるための登録画面が表示される表示部を備える請求項１に記載の電子機器。
【請求項３】
前記自機器が存在した地域は、複数登録可能に構成される請求項１に記載の電子機器。
【請求項４】
前記自機器の位置検出は、前記自機器のユーザ操作に応じて行われる請求項１に記載の電子機器。
【請求項５】
前記自機器の位置検出を行うためのＧＰＳ信号を受信するＧＰＳ受信部を備える請求項１に記載の電子機器。
【請求項６】
自機器の位置を複数回数検出するステップと、
前記検出された回数に基づいて、前記自機器の位置を所定のアプリケーションで利用する地域として登録させるか否か選択させるステップと、
を備える電子機器の登録方法。
【発明の詳細な説明】
【技術分野】
【０００１】
本発明の実施形態は、所定のユーザ操作をロックする電子機器および電子機器の登録方法に関する。
【背景技術】
【０００２】
近年、携帯電話やスマートフォン等の電子機器が普及している。
これらの電子機器には、例えば、紛失や盗難に備え、他人に電子機器の所定の操作や所定の機能を実行されることを防止するようにロック（以下操作ロック）させるものがある。
【０００３】
これらの電子機器の所定の操作や機能の実行のロックは、例えば、ユーザに暗証番号（パスワード）入力をさせ、正しい暗証番号（パスワード）が入力された場合に、電子機器の操作ロックを解除させることが多い。これによって、他人に電子機器の所定の操作や所定の機能を実行されることを防止することが可能になる。
【０００４】
しかし、電子機器が操作ロックされている場合は、一方では他人による電子機器の所定の操作や所定の機能の実行を防止することは可能になるが、他方では、この操作ロックの解除は、ユーザにとって煩わしいという問題があり、他人による電子機器の操作や機能の実行を防止しつつ、操作ロック解除の際に生じるユーザの煩わしさを低減することが課題となっていた。
【先行技術文献】
【特許文献】
【０００５】
【特許文献１】特開平１１−１８６９５５号公報
【発明の概要】
【発明が解決しようとする課題】
【０００６】
電子機器が操作ロックされている場合に、操作ロック解除の際のユーザの煩わしさを低減することが課題となっていた。
【課題を解決するための手段】
【０００７】
実施形態の電子機器は、自機器の位置を複数回数検出する位置検出部と、前記位置検出部で検出された回数に基づいて、前記自機器の位置を所定のアプリケーションで利用する地域として登録させるか否かを選択させる選択部と、を備える。
【図面の簡単な説明】
【０００８】
【図１】実施形態に係わる電子機器が使用されるシステムの一例を示す図。
【図２】実施形態に係わる電子機器の一例の外観図。
【図３】実施形態に係わる電子機器の構成の一例を示すブロック図。
【図４】実施形態に係わる電子機器において、ユーザが暗証番号（パスワード）ロック解除を行うための暗証番号（パスワード）入力画面の一例を示す図。
【図５】実施形態に係わる電子機器において、電子機器の位置情報を取得する方法の一例を説明するフローチャート。
【図６】実施形態に係わる電子機器において、取得された電子機器の位置情報を記憶するテーブルの一例を示す図。
【図７】実施形態に係わる電子機器において、ユーザが操作ロック解除を行う地域を登録する際に表示される操作ロック解除地域登録画面の一例を示す図。
【図８】実施形態に係わる電子機器が使用された場合の操作ロック解除および操作ロックが行われるようすを説明する図。
【図９】実施形態に係わる電子機器の動作の一例を説明するフローチャート。
【発明を実施するための形態】
【０００９】
以下、図面を参照し、実施の形態を説明する。
図１は、実施形態に係わる電子機器が使用されるシステムの一例を示す図である。
ここでは電子機器の一例として携帯電話を用いて説明を行うが、この実施の形態は、スマートフォン、スレート端末、ＰＣ（パーソナルコンピュータ）、携帯端末等に適用することも可能である。
【００１０】
符号１は上記電子機器（携帯電話）、符号３０はＧＰＳ衛星である。
この実施の形態においては、このシステムはグローバル・ポジショニング・システム（ＧＰＳ：Global Positioning System、全地球測位システム）を用いている。
【００１１】
電子機器１は、ＧＰＳ衛星３０から送信されるＧＰＳ信号を受信し、地球上における現在位置を測定する。
また、この実施の形態においては、電子機器１には、他人による電子機器の操作や機能の実行を防止するために、通常は操作ロックされる。ここでは、暗証番号（パスワード）を設定することにより、操作ロックが実行されている。
【００１２】
図１（ａ）は、電子機器１が、予め登録された操作ロックを解除する地域内にあり、操作ロックを解除するようすを示す図である。
ここでは、操作ロックを解除する登録地域として「東京都青梅市」が予め登録されている。また、現在地は上記ＧＰＳシステムにより、「東京都青梅市末広町2-9」が測定されている。
【００１３】
このとき、電子機器１は、予め登録されている「東京都青梅市」と上記測定された「東京都青梅市末広町2-9」を比較し、自機器（電子機器１）が操作ロックを解除する地域内にあると判別し、自機器（電子機器１）の操作ロックを解除する。
【００１４】
図１（ｂ）は、電子機器１が、予め登録された操作ロックを解除する地域内にはなく、操作ロックは解除しないようすを示す図である。
ここでも、操作ロックを解除する登録地域として「東京都青梅市」が予め登録されている。また、現在地は上記と同様、ＧＰＳシステムにより、「東京都渋谷区宇田川町」が測定されている。
【００１５】
このとき、電子機器１は、予め登録されている「東京都青梅市」と上記測定された「東京都渋谷区宇田川町」を比較し、自機器（電子機器１）が操作ロックを解除する地域内にはないと判別し、自機器（電子機器１）の操作ロックは解除しない。
【００１６】
図２は、実施形態に係わる電子機器の一例の外観図である。
この実施の形態においては、上記のように電子機器１は携帯電話である。
符号２は電子機器（携帯電話）１の本体、符号３は映像を表示する電子機器（携帯電話）１の表示部、符号５は操作キーである。
図３は、実施形態に係わる電子機器の構成の一例を示すブロック図である。
符号６は電話信号を受信するアンテナ、符号７は受信した電話信号を制御する無線制御部、符号８は上記ＧＰＳ信号を受信するＧＰＳ受信部、符号９は電子機器（携帯電話）１を制御するＣＰＵ、符号１０はＣＰＵ９の処理等に使用されるＲＯＭ、符号１１はＣＰＵ９の処理等に使用されるＲＡＭ、符号１２はＣＰＵ９の処理等に使用されるフラッシュメモリ、符号１３は電話等の音声を処理する音声処理部、符号１４はユーザの音声等を取得するマイクロフォン、符号１５は音声を出力するスピーカ、符号１６は電子機器（携帯電話）１に電力を供給するバッテリである。
【００１７】
ここでは、ＣＰＵ９は電子機器１全体の制御を行う。
図４は、実施形態に係わる電子機器において、ユーザが暗証番号（パスワード）ロック解除を行うための暗証番号（パスワード）入力画面の一例を示す図である。
上記のように、この実施の形態においては、電子機器１には、他人による電子機器の操作や機能の実行を防止するために、通常は、暗証番号（パスワード）を設定し、暗証番号（パスワード）が入力された場合にロックを解除する操作ロック（暗証番号（パスワード）ロック）が実行されている。
【００１８】
そして、例えば、上記図１（ｂ）に示すように、電子機器１が、予め登録された操作ロックを解除する地域内にはない場合、操作ロックは解除されず、ユーザに対して暗証番号（パスワード）を入力させる画面を表示する。
【００１９】
ここでは、表示画面４に「暗証番号（パスワード）を入力してください」と表示され、暗証番号（パスワード）ロック４０がかけられる。
図５は、実施形態に係わる電子機器において、電子機器の位置情報を取得する方法の一例を説明するフローチャートである。
符号Ｓ１００は、ここでの開始ステップである。続いて、ステップＳ１０１へ進む。
ステップＳ１０１は、電子機器１の電源がＯＮされるステップである。続いて、ステップＳ１０２へ進む。
ステップＳ１０２は、現在時刻を計測するステップである。続いて、ステップＳ１０３へ進む。
ステップＳ１０３は、前回の計測から所定の時間（例えば１時間）経過したかを判別するステップである。所定の時間（例えば１時間）が経過した場合は、ステップＳ１０４へ進む（Ｙｅｓ）。所定の時間経過しない場合は、ここでの処理を繰り返す。
【００２０】
ステップＳ１０４は、ＧＰＳ受信部８への電源供給をＯＮにするステップである。続いて、ステップＳ１０５へ進む。
ステップＳ１０５は、ＧＰＳ信号から電子機器１の位置情報を取得するステップである。続いて、ステップＳ１０６へ進む。
ステップＳ１０６は、取得した電子機器の位置情報を後述するテーブルに記録または加算するステップである。続いて、ステップＳ１０７へ進む。
ステップＳ１０７は、ＧＰＳ受信部８への電源供給をＯＦＦにするステップである。続いて、ステップＳ１０２へ進み、上記処理を繰り返す。
図６は、実施形態に係わる電子機器において、取得された電子機器の位置情報を記憶するテーブルの一例を示す図である。
この実施の形態においては、例えば、図に示すようなテーブルをＲＯＭ１０に、記憶する。
上記のように、例えば、１時間毎の電子機器１の位置が検出される。そして、例えば、電子機器１の位置が１時間毎に検出される度に検出１回とカウントする。
ここでは、上記一定時間毎に電子機器が存在し、検出された地域である電子機器存在地域として「東京都青梅市」が「３００」回、「東京都港区」が「１１０」回、「東京都昭島市」が「２１」回、「東京都町田市」が「２」回、「その他」が「１」回である。
【００２１】
ここでは、電子機器存在地域は、区や市、町、村単位で記憶されるが、そのカバーする領域は必要に応じ、適宜変更可能である。
このテーブルは、例えば、次に説明する操作ロック解除地域登録画面を表示するために用いられる。
図７は、実施形態に係わる電子機器において、ユーザが操作ロック解除を行う地域を登録する際に表示される操作ロック解除地域登録画面の一例を示す図である。
ここでは、ＣＰＵ９に指示され、上記ＲＯＭ１０に記憶されたテーブルを用いて、表示画面４に操作ロック解除地域登録画面が表示される。
ここでは、ユーザの選択を促すように、上記検出回数が多い順に２つの地域が表示される。
符号３１ａは順位１、符号３１ｂは「東京都青梅市」、符号３２ａは順位２、符号３２ｂは「東京都港区」、符号３３ａは順位３、符号３３ｂは「その他」である。
例えば、このユーザは、「東京都青梅市」と「東京都港区」でこの電子機器１を操作することが多いため、操作ロック解除地域としてこれらを選択し、登録する。符号３１ａおよび符号３２ａはユーザに指定され、他と異なるようにハイライト表示されている。
【００２２】
なお、この実施の形態においては、操作ロック解除地域を任意に、ユーザが電子機器１に直接入力することも可能である。
図８は、実施形態に係わる電子機器が使用された場合の操作ロック解除および操作ロックが行われるようすを説明する図である。
ここでは、上記のように、「東京都青梅市」と「東京都港区」が操作ロック解除地域として登録されている。
図８（ａ）は、操作ロックが解除される場合を示している。
すなわち、図に示すように、ここでは、電子機器１は、上記のように操作ロック解除地域として登録されている「東京都青梅市」に存在すると判別されたため、操作ロックが解除される。
【００２３】
図８（ｂ）は、操作ロックが解除されない場合を示している。
すなわち、図に示すように、ここでは、電子機器１は、操作ロック解除地域として登録されている「東京都青梅市」および「東京都港区」のどちらにも存在しないと判別されたため、ユーザの操作ロックが解除されず、ロックされる。
【００２４】
図９は、実施形態に係わる電子機器の動作の一例を説明するフローチャートである。
符号Ｓ２００はここでの開始ステップである。続いて、ステップＳ２０１へ進む。
ステップＳ２０１は、電子機器１の電源をＯＮにするステップである。続いて、ステップＳ２０２へ進む。
ステップＳ２０２は、上記図７に示すようなロック解除地域の登録画面を表示するステップである。続いて、ステップＳ２０３へ進む。
ステップＳ２０３は、ユーザが電子機器１の操作キー５等を操作し、ロック解除地域を入力し、電子機器１がフラッシュメモリ１２等に登録するステップである。続いて、ステップＳ２０４へ進む。
【００２５】
ステップＳ２０４は、電子機器１の操作ロックを行うステップである。続いて、ステップＳ２０５へ進む。
ステップＳ２０５は、例えば、電子機器１の操作キー５等が操作されたか等を検出し、電子機器１は操作されたかを判別するステップである。電子機器１は操作されたと判別される場合は、ステップＳ２０６へ進む（Ｙｅｓ）。電子機器１は操作されたと判別されない場合は、ここでの処理を繰り返す（Ｎｏ）。
【００２６】
ステップＳ２０６は、ＧＰＳ衛星３０から出力される信号から電子機器１の現在位置、すなわち位置情報を取得するステップである。続いて、ステップＳ２０７へ進む。
【００２７】
ステップＳ２０７は、上記のように、登録された操作ロックを解除する地域と検出された自機器（電子機器１）の位置を比較し、自機器（電子機器１）が操作ロックを解除する地域である登録地域内にあるかを判別するステップである。自機器（電子機器１）が操作ロックを解除する登録地域内にあると判別される場合はステップＳ２０８へ進む（Ｙｅｓ）。自機器（電子機器１）が操作ロックを解除する登録地域内にあると判別されない場合はステップＳ２１１へ進む（Ｎｏ）。
【００２８】
ステップＳ２０８は、電子機器１の操作ロックを解除するステップである。続いて、ステップＳ２０９へ進む。
ステップＳ２０９は、電子機器１がユーザ操作されない時間を計測するステップである。続いて、ステップＳ２１０へ進む。
ステップＳ２１０は、上記計測されたユーザ操作されない時間が所定時間（例えば５分）以上経過したかを判別するステップである。ユーザ操作されない時間が所定時間（例えば５分）以上経過したと判別される場合は、ステップＳ２０４へ進み、上記処理を繰り返す（Ｙｅｓ）。ユーザ操作されない時間が所定時間（例えば５分）以上経過したと判別されない場合は、ここでの処理を繰り返す（Ｎｏ）。
【００２９】
ステップＳ２１１は、暗証番号入力画面（例えば図４）を表示するステップである。続いて、ステップＳ２１２へ進む。
ステップＳ２１２は、ユーザによって暗証番号が入力されたかを判別するステップである。暗証番号が入力されたと判別される場合は、ステップＳ２０８へ進み、上記処理を行う（Ｙｅｓ）。暗証番号が入力されたと判別されない場合は、ステップＳ２０４へ進み、上記処理を行う（Ｎｏ）。
【００３０】
上記のように構成することにより、この実施の形態においては、ユーザの利便性を保ちつつ、セキュリティを向上させることが可能である。
また、例えば、普段はロック機能をオフにして運用し、紛失や盗難の恐れがある場合は自動的にロックをかけることが可能になる。
また、この実施の形態においては、電子機器１を使用できなくするのではなく、セキュリティレベルを変更するだけであり、電子機器１の本来の持ち主にとっては使用上、大きな問題は発生しない。
【００３１】
また、この実施の形態においては、遠隔ロックとは違い、特にロックをかける操作が必要ないこともメリットの一つである。
また、他の実施の形態の一例として、上記操作ロックをさらに細かい単位で行っても良い。
例えば、上記操作ロックを行う単位をプロフィールや、メール、アドレス帳、データフォルダ等の単位で行うことも可能である。
また、上記説明においては、自機器（電子機器１）の操作ロック解除のオンオフ制御を行ったが、この操作ロック解除のオンオフ制御を例えば、携帯電話におけるマナーモード解除のオンオフ制御に応用することも可能である。
【００３２】
例えば、上記と同様に、会社をマナーモード解除オフを行う場所として登録する。そして、自宅ではマナーモードを音が出る設定（マナーモード解除オン設定）にし、マナーモード解除オフを行う場所として登録された会社に行くと、マナーモードを音が出ない設定（マナーモード解除オフ設定）となるようにすることが可能である。
【００３３】
上記のように構成することによって、この発明の実施の形態においては、電子機器が操作ロックされている場合に、操作ロック解除の際のユーザの煩わしさを低減することが可能になる。
【００３４】
なお、上記実施形態は、記述そのものに限定されるものではなく、実施段階では、その趣旨を逸脱しない範囲で、構成要素を種々変形して具体化することが可能である。
【符号の説明】
【００３５】
１…電子機器、２…本体、３…表示部、４…表示画面、５…操作キー、６…アンテナ、７…無線制御部、８…ＧＰＳ受信部、９…ＣＰＵ、１０…ＲＯＭ、１１…ＲＡＭ、１２…フラッシュメモリ、１３…音声処理部、１４…マイクロフォン、１５…スピーカ、１６…バッテリ。
【図１】
2012178188.tif 000003
【図２】
2012178188.tif 000004
【図３】
2012178188.tif 000005
【図４】
2012178188.tif 000006
【図５】
2012178188.tif 000007
【図６】
2012178188.tif 000008
【図７】
2012178188.tif 000009
【図８】
2012178188.tif 000010
【図９】
2012178188.tif 000011